(57)【要約】【課題】監視カメラからの監視映像を高速に切り替えるようにすることができるとともに、監視カメラ数の制限を緩和することができる映像表示装置を提供すること。【解決手段】マルチキャストグループへの参加を要求する要求部３４５と、予参加マルチキャストグループのマルチキャストアドレスを記憶するアドレス記憶部３４３と、選択操作許可前にアドレス記憶部３４３から予参加マルチキャストグループのマルチキャストアドレスを取得して予参加マルチキャストグループへの参加要求を要求部３４５に指示するアドレス取得部３４４と、マルチキャストパケットを選別するネットワークインタフェース３４７と、選択操作許可後の選択操作時にマルチキャストアドレスをネットワークインタフェース３４７に設定するアドレス設定部３４６と、映像を復号して表示部３４１に出力する復号部３４８とを備えるよう構成した。【選択図】　図３
2004128853.tif 000002
【特許請求の範囲】
【請求項１】
映像を表示する表示部と、前記表示部に表示させる映像をユーザに選択操作させることによりマルチキャストグループの選択をユーザから受け付けるユーザインタフェースと、マルチキャストグループへの参加を所定の要求先に要求する要求部と、前記ユーザインタフェースにおける選択操作許可前に予め参加を要求するマルチキャストグループである予参加マルチキャストグループのマルチキャストアドレスを記憶するアドレス記憶部と、前記ユーザインタフェースにおける選択操作許可前に前記アドレス記憶部から前記予参加マルチキャストグループのマルチキャストアドレスを取得して前記予参加マルチキャストグループへの参加要求を前記要求部に指示するアドレス取得部と、ネットワークを介して着信したマルチキャストパケットから特定のマルチキャストアドレスが付与されたマルチキャストパケットを選別するネットワークインタフェースと、前記ユーザインタフェースにおける選択操作許可後の選択操作時に選択されたマルチキャストグループのマルチキャストアドレスを前記ネットワークインタフェースに設定してマルチキャストパケットの選別を前記ネットワークインタフェースに指示するアドレス設定部と、前記ネットワークインタフェースで選別されたマルチキャストパケットに格納された映像を復号して前記表示部に出力する復号部とを備えることを特徴とする映像表示装置。
【請求項２】
前記要求部は、マルチキャストグループ選択時に逐次に参加を要求するマルチキャストグループである逐次参加マルチキャストグループが前記ユーザインタフェースにおいて選択された時、前記逐次参加マルチキャストグループへの参加を前記要求先に要求するようにしたことを特徴とする請求項１に記載の映像表示装置。
【請求項３】
前記ユーザインタフェースで選択されたマルチキャストグループを前記予参加マルチキャストグループとして前記アドレス記憶部に登録するとともに、前記ユーザインタフェースで選択されなくなった前記予参加マルチキャストグループの登録を解除する学習部を備えることを特徴とする請求項２に記載の映像表示装置。
【請求項４】
撮影する複数の監視カメラと、前記複数の監視カメラからの映像をマルチキャストアドレスが付与されたマルチキャストパケットでそれぞれ配信する映像配信装置と、前記マルチキャストパケットを中継するマルチキャストルータと、前記マルチキャストルータにマルチキャストグループへの参加を要求して前記マルチキャストルータによって中継された前記マルチキャストパケットを受信する請求項１乃至請求項３の何れかに記載の映像表示装置とを備えることを特徴とする映像監視システム。
【発明の詳細な説明】
【０００１】
【発明の属する技術分野】
本発明は、監視カメラで撮影した映像を表示する映像表示装置および映像監視システムに関する。
【０００２】
【従来の技術】
従来の映像監視システムは、監視映像を撮影する複数の監視カメラと、監視映像をマルチキャストパケットで配信する映像配信装置と、マルチキャストパケットを受信して監視映像を表示する複数の映像表示装置とをネットワークに接続して構成されている（例えば、特許文献１参照）。
【０００３】
なお、一般に、前述のネットワークとしてＩＰ（Ｉｎｔｅｒｎｅｔ　Ｐｒｏｔｏｃｏｌ）をサポートしたネットワークを用い、また、ネットワークにはＩＧＭＰ（Ｉｎｔｅｒｎｅｔ　Ｇｒｏｕｐ　Ｍｕｌｔｉｃａｓｔ　Ｐｒｏｔｏｃｏｌ）をサポートしたマルチキャストルータを接続するようになっている。このようなマルチキャストルータをネットワークに接続した従来の映像監視システムにおいては、まず、映像表示装置が、マルチキャストルータにマルチキャストグループへの参加を要求し、次に、マルチキャストルータが、参加要求されたマルチキャストグループのマルチキャストパケットの中継を開始し、次に、映像表示装置が、マルチキャストパケットを受信してマルチキャストパケットに格納された所望の監視映像を表示するようになっていた。
【０００４】
また、マルチキャストルータをネットワークに接続せず、映像配信装置から配信された全マルチキャストグループのマルチキャストパケットが映像表示装置に着信され、映像表示装置が、着信した不要なマルチキャストグループのマルチキャストパケットを、フィルタリングにより、排除するようにした構成も提案されている。
【０００５】
【特許文献１】
特開２００１−６９４８３号公報（図１）
【０００６】
【発明が解決しようとする課題】
しかしながら、従来の映像監視システムにおいて、マルチキャストルータをネットワークに接続した場合には、監視カメラからの監視映像を切り替える時、映像表示装置が、マルチキャストルータにマルチキャストグループへの参加を要求した後に、マルチキャストルータが、ルーティングの変更を行なう必要があり、映像表示装置において監視カメラからの監視映像を高速に切り替えることができないという課題があった。
【０００７】
また、従来の映像監視システムにおいて、マルチキャストルータをネットワークに接続しない場合には、全てのマルチキャストグループのマルチキャストパケットが映像表示装置に着信してしまい、映像表示装置における受信速度の性能によっては、映像のストリーム数が制限されてしまう、すなわち監視カメラ数が制限されてしまうという課題があった。
【０００８】
本発明はこのような課題を解決するためになされたもので、監視カメラからの監視映像を高速に切り替えるようにすることができるとともに、監視カメラ数の制限を緩和することができる映像監視システムおよび映像表示装置を提供するものである。
【０００９】
【課題を解決するための手段】
本発明の映像表示装置は、映像を表示する表示部と、前記表示部に表示させる映像をユーザに選択操作させることによりマルチキャストグループの選択をユーザから受け付けるユーザインタフェースと、マルチキャストグループへの参加を所定の要求先に要求する要求部と、前記ユーザインタフェースにおける選択操作許可前に参加を要求するマルチキャストグループである予参加マルチキャストグループのマルチキャストアドレスを記憶するアドレス記憶部と、前記ユーザインタフェースにおける選択操作許可前に前記アドレス記憶部から前記予参加マルチキャストグループのマルチキャストアドレスを取得して前記予参加マルチキャストグループへの参加要求を前記要求部に指示するアドレス取得部と、ネットワークを介して着信したマルチキャストパケットから特定のマルチキャストアドレスが付与されたマルチキャストパケットを選別するネットワークインタフェースと、前記ユーザインタフェースにおける選択操作許可後の選択操作時に選択されたマルチキャストグループのマルチキャストアドレスを前記ネットワークインタフェースに設定してマルチキャストパケットの選別を前記ネットワークインタフェースに指示するアドレス設定部と、前記ネットワークインタフェースで選別されたマルチキャストパケットに格納された映像を復号して前記表示部に出力する復号部とを備える構成を有している。
【００１０】
この構成により、ユーザがマルチキャストグループを選択した時には予参加マルチキャストグループのマルチキャストパケットがネットワークインタフェースに既に着信してネットワークインタフェースがマルチキャストパケットを即選別することができる状態になっており、監視カメラからの監視映像を高速に切り替えることができるとともに、映像表示装置のネットワークインタフェースに着信するマルチキャストパケットは予参加マルチキャストグループのものにほぼ限定させることができることになり、監視カメラ数の制限を緩和することができる。
【００１１】
本発明の映像表示装置は、前記要求部が、マルチキャストグループ選択時、逐次に参加を要求するマルチキャストグループである逐次参加マルチキャストグループが前記ユーザインタフェースにおいて選択された時に前記逐次参加マルチキャストグループへの参加を前記要求先に要求するようにした構成を有している。
【００１２】
この構成により、頻繁に選択する監視カメラからの監視映像を高速に切り替えることができるとともに、頻繁に選択しない監視カメラからの監視映像も必要な時には受信して表示することができる。
【００１３】
本発明の映像表示装置は、前記ユーザインタフェースで選択されたマルチキャストグループを前記予参加マルチキャストグループとして前記アドレス記憶部に登録するとともに、前記ユーザインタフェースで選択されなくなった前記予参加マルチキャストグループの登録を解除する学習部を備える構成を有している。
【００１４】
この構成により、予参加についてユーザに特別な設定操作をさせることなく、ユーザによる映像の選択操作に応じて、監視カメラからの監視映像を高速に切り替えるようにすることができるとともに、監視カメラ数の制限をさらに緩和することができる。
【００１５】
本発明の映像監視システムは、撮影する複数の監視カメラと、前記複数の監視カメラからの映像をマルチキャストアドレスが付与されたマルチキャストパケットでそれぞれ配信する映像配信装置と、前記マルチキャストパケットを中継するマルチキャストルータと、前記マルチキャストルータにマルチキャストグループへの参加を要求して前記マルチキャストルータによって中継された前記マルチキャストパケットを受信する前記映像表示装置とを備える構成を有している。
【００１６】
この構成により、映像表示装置で受信するマルチキャストパケットはマルチキャストルータによってルーティングされたものに限定されることになり、映像表示装置側のネットワークにおける伝送速度の制約を越えて監視カメラを監視カメラ側のネットワークに接続することができる。
【００１７】
【発明の実施の形態】
以下、本発明の実施の形態について、図面を用いて説明する。
【００１８】
（第１の実施の形態）
まず、本発明の第１の実施の形態の映像監視システムの全体について説明する。
【００１９】
図１において、映像監視システムは、複数の監視区域においてそれぞれ監視のための映像を撮影する複数の監視カメラ１１０と、複数の監視カメラ１１０でそれぞれ撮影した映像を格納したユニキャストパケットを、マルチキャストアドレスが付与されたマルチキャストパケットに変換してそれぞれ配信する映像配信装置２２０と、映像配信装置２２０からのマルチキャストパケットを中継するマルチキャストルータ１３０と、マルチキャストルータ１３０にマルチキャストグループへの参加を要求するとともに、マルチキャストルータ１３０によって中継されたマルチキャストパケットを受信してマルチキャストパケットに格納された映像を表示する複数の映像表示装置３４０とを備える。なお、映像監視システム１００を構成する各装置は、データの授受が可能に接続されており、具体的には、映像配信装置２２０に、カメラネットワーク１０１を介して、複数の監視カメラ１１０が接続されているとともに、映像配信装置２２０に、マルチキャストルータ１３０を介して、複数の映像表示装置３４０が接続されている。
【００２０】
次に、映像配信装置２２０の構成について説明する。
【００２１】
図２において、映像配信装置２２０は、監視カメラ１１０からユニキャストパケットで送信された映像を受信するユニキャストネットワークインタフェース２２１と、ユニキャストパケットを一時的に格納するパケットバッファ２２２と、ユニキャストパケットからマルチキャストパケットに変換するか否かを判定する変換判定部２２３と、ユニキャストパケットからマルチキャストパケットに変換する変換部２２４と、マルチキャストパケットを配信するマルチキャストネットワークインタフェース２２５と、変換の要否を判定するための変換キー情報と変換ルールとを保持する変換テーブル２２６と、設定操作がされるコンソール２２７と、コンソール２２７における設定操作に従って変換テーブル２２６に情報を設定する設定部２２８とを備える。
【００２２】
次に、映像表示装置３４０の構成について説明する。
【００２３】
図３において、映像表示装置３４０は、監視カメラ１１０で撮影された映像を表示する表示部３４１と、表示部３４１に表示させる映像をユーザに選択操作させることによりマルチキャストグループの選択をユーザから受け付けるユーザインタフェース３４２と、映像表示装置３４０の起動時（すなわち、ユーザインタフェース３４２における「選択操作許可前」）にマルチキャストルータ１３０に予め参加を要求するマルチキャストグループ（以下、「予参加マルチキャストグループ」という）のマルチキャストアドレスを記憶するアドレス記憶部３４３と、映像表示装置３４０の起動時には、全ての予参加マルチキャストグループのマルチキャストアドレスをアドレス記憶部３４３から取得して予参加マルチキャストグループへの参加要求を後述の要求部３４５に指示するとともに、映像表示装置３４０の運用時（すなわち、ユーザインタフェース３４２における「選択操作許可後」）であってユーザインタフェース３４２における選択操作時には、選択されたマルチキャストグループのマルチキャストアドレスをアドレス記憶部３４３から取得して後述のアドレス設定部３４６に出力するアドレス取得部３４４と、マルチキャストグループへの参加をマルチキャストルータ１３０に要求する要求部３４５と、映像表示装置３４０の運用時であってユーザインタフェース３４２における選択操作時、選択されたマルチキャストグループのマルチキャストアドレスを後述のネットワークインタフェース３４７に設定してマルチキャストパケットの選別をネットワークインタフェース３４７に指示するアドレス設定部３４６と、ネットワークを介して着信したマルチキャストパケットから特定のマルチキャストアドレスが付与されたマルチキャストパケットを選別するネットワークインタフェース３４７と、ネットワークインタフェース３４７によって選別されたマルチキャストパケットに格納された映像を復号し、表示部３４１に出力する復号部３４８とを備える。
【００２４】
また、アドレス記憶部３４３が、映像表示装置３４０の運用時であってユーザインタフェース３４２における選択操作時に逐次に参加を要求するマルチキャストグループ（以下、「逐次参加マルチキャストグループ」という）のマルチキャストアドレスを予参加マルチキャストグループのマルチキャストアドレスと区別して記憶するようになっており、ユーザインタフェース３４２おいて逐次参加マルチキャストグループが選択された時、アドレス取得部３４４がアドレス記憶部３４３から逐次参加マルチキャストグループのマルチキャストアドレスを取得して要求部３４５とアドレス設定部３４６とに出力し、要求部３４５が逐次参加マルチキャストグループへの参加をマルチキャストルータ１３０に逐次要求し、アドレス設定部３４６がマルチキャストアドレスをネットワークインタフェース３４７に設定し、ネットワークインタフェース３４７が逐次参加マルチキャストグループのマルチキャストパケットを選別して復号部３４８に出力するようになっている。
【００２５】
次に本実施の形態の映像監視システムの動作について説明する。
【００２６】
映像表示装置３４０の起動時、映像表示装置３４０のアドレス取得部３４４によって、全ての予参加マルチキャストグループのマルチキャストアドレスが映像表示装置３４０のアドレス記憶部３４３から取得され、映像表示装置３４０の要求部３４５によって、マルチキャストルータ１３０に、全ての予参加マルチキャストグループへの参加が予め要求される。
【００２７】
マルチキャストルータ１３０が参加要求を受け付けた後、映像配信装置２２０から配信されるマルチキャストパケットのうち、参加要求がされた予参加マルチキャストグループのマルチキャストパケットがマルチキャストルータ１３０によって中継されて、映像表示装置３４０のネットワークインタフェース３４７に着信する。
【００２８】
なお、映像表示装置３４０の起動時、ユーザインタフェース３４２における選択操作は許可されておらず、選択操作が無効な状態である。また、映像表示装置３４０のネットワークインタフェース３４７に予参加マルチキャストグループのマルチキャストアドレスが未設定の状態であって、映像表示装置３４０のネットワークインタフェース３４７によって予参加マルチキャストグループのマルチキャストパケットが排除されるようになっている。
【００２９】
映像表示装置３４０の運用時、ユーザインタフェース３４２における選択操作が許可され、選択操作が有効な状態となり、映像表示装置３４０のユーザインタフェース３４２においてユーザによってマルチキャストグループが選択される。具体的には、監視カメラ１１０をユーザに選択させることによって表示部３４１に表示する映像をユーザに選択させ、すなわち、マルチキャストグループの選択をユーザから受け付ける。例えば、監視カメラ１１０の識別情報や、監視カメラ１１０の位置により、ユーザに複数の監視カメラ１１０の何れかを選択させる。
【００３０】
映像表示装置３４０のユーザインタフェース３４２で選択されたマルチキャストグループが予参加マルチキャストグループであった場合には、映像表示装置３４０のアドレス設定部３４６によって、ユーザインタフェース３４２で選択されたマルチキャストグループのマルチキャストアドレスが映像表示装置３４０のネットワークインタフェース３４７に設定され、映像表示装置３４０のネットワークインタフェース３４７によって、マルチキャストパケットの受信が即座に開始され、映像表示装置３４０の復号部３４８で復号された映像が映像表示装置３４０の表示部３４１に表示される。
【００３１】
また、映像表示装置３４０のユーザインタフェース３４２で選択されたマルチキャストグループが逐次参加マルチキャストグループであった場合には、映像表示装置３４０の要求部３４５によって、マルチキャストルータ１３０に逐次参加マルチキャストグループへの参加が逐次要求される。逐次参加マルチキャストグループのマルチキャストパケットは、マルチキャストルータ１３０によって参加要求が受け付けられた後に中継が開始され、映像表示装置３４０のネットワークインタフェース３４７によって、マルチキャストパケットの受信が開始され、映像表示装置３４０の復号部３４８で復号された映像が映像表示装置３４０の表示部３４１に表示される。
【００３２】
なお、映像表示装置３４０のアドレス記憶部３４３への予参加マルチキャストグループのマルチキャストアドレスの登録は、例えば、映像表示装置３４０のユーザインタフェース３４２における設定操作により行なわれる。
【００３３】
以上説明したように、本実施の形態の映像監視システムの映像表示装置３４０は、表示部３４１に表示させる映像をユーザに選択操作させることによりマルチキャストグループの選択をユーザから受け付けるユーザインタフェース３４２と、マルチキャストグループへの参加をマルチキャストルータ１３０に要求する要求部３４５と、予参加マルチキャストグループのマルチキャストアドレスを記憶するアドレス記憶部３４３と、ユーザインタフェース３４２における選択操作許可前にアドレス記憶部３４３から予参加マルチキャストグループのマルチキャストアドレスを取得して予参加マルチキャストグループへの参加要求を要求部３４５に指示するアドレス取得部３４４と、ネットワークを介して着信したマルチキャストパケットから特定のマルチキャストアドレスが付与されたマルチキャストパケットを選別するネットワークインタフェース３４７と、ユーザインタフェース３４２における選択操作許可後の選択操作時に選択されたマルチキャストグループのマルチキャストアドレスをネットワークインタフェース３４７に設定してマルチキャストパケットの選別をネットワークインタフェース３４７に指示するアドレス設定部３４６と、ネットワークインタフェース３４７で選別されたマルチキャストパケットに格納された映像を復号して表示部３４１に出力する復号部３４８とを備えるので、ユーザがユーザインタフェース３４２でマルチキャストグループを選択した時には予参加マルチキャストグループのマルチキャストパケットがネットワークインタフェース３４７に既に着信してネットワークインタフェース３４７がマルチキャストパケットを即選別することができる状態になっており、監視カメラ１１０からの監視映像を高速に切り替えることができるとともに、映像表示装置３４０のネットワークインタフェース３４７に着信するマルチキャストパケットは予参加マルチキャストグループのものにほぼ限定させることができることになり、監視カメラ１１０の数の制限を緩和することができる。
【００３４】
（第２の実施の形態）
図４は、本発明の第２の実施の形態の映像監視システムにおける映像表示装置４４０を示すブロック図である。なお、図３に示す第１の実施の形態の映像表示装置３４０の構成要素と同じ構成要素は同じ符号としてあり、説明を省略する。
【００３５】
図４において、学習部４４９は、ユーザインタフェース３４２で選択されたマルチキャストグループを予参加マルチキャストグループとしてアドレス記憶部３４３に登録するとともに、ユーザインタフェース３４２で選択されなくなって最も時間が経過した予参加マルチキャストグループの登録を解除して、逐次参加マルチキャストグループとしてアドレス記憶部３４３に登録し直すようになっている。具体的には、ユーザインタフェース３４２で逐次参加マルチキャストグループが選択された時、予参加マルチキャストグループの数が予め決められた最大数に達している場合には、ユーザインタフェース３４２で選択されなくなって最も時間が経過した予参加マルチキャストグループのマルチキャストアドレスを、逐次参加マルチキャストグループのマルチキャストアドレスとしてアドレス記憶部３４３に記憶し直すとともに、ユーザインタフェース３４２で選択されたマルチキャストグループのマルチキャストアドレスを、予参加マルチキャストグループのマルチキャストアドレスとしてアドレス記憶部３４３に記憶させるようになっている。
【００３６】
次に本実施の形態の映像監視システムの動作について説明する。
【００３７】
映像表示装置４４０の運用時、映像表示装置４４０のユーザインタフェース３４２で選択されたマルチキャストグループが逐次参加マルチキャストグループであった場合には、映像表示装置４４０の学習部４４９によって、予参加マルチキャストグループとしてマルチキャストアドレスがアドレス記憶部３４３に登録され、映像表示装置４４０の要求部３４５によって、マルチキャストルータ１３０にマルチキャストグループへの参加が要求されるとともに、映像表示装置４４０のネットワークインタフェース３４７にマルチキャストアドレスが設定される。マルチキャストルータ１３０によって参加要求が受け付けられた後、マルチキャストパケットの中継が開始され、映像表示装置４４０のネットワークインタフェース３４７によって、マルチキャストパケットが選別され、映像表示装置４４０の復号部３４８で復号された映像が映像表示装置４４０の表示部３４１に表示される。
【００３８】
また、映像表示装置４４０のユーザインタフェース３４２で選択されたマルチキャストグループが予参加マルチキャストグループであった場合には、映像表示装置４４０のアドレス設定部３４６によって、映像表示装置４４０のネットワークインタフェース３４７にマルチキャストアドレスが設定され、映像表示装置４４０のネットワークインタフェース３４７によって、マルチキャストパケットの受信が即座に開始され、映像表示装置４４０の復号部３４８で復号された映像が映像表示装置４４０の表示部３４１に表示される。
【００３９】
さらに、映像表示装置４４０の学習部４４９によって、ユーザインタフェース３４２で選択されなくなった予参加マルチキャストグループの登録が解除されて逐次参加マルチキャストグループに切り替えられる。例えば、全ての予参加マルチキャストグループについて、それぞれユーザインタフェース３４２で最後に選択が解除された時刻をマルチキャストアドレスと関連付けて映像表示装置４４０のアドレス記憶部３４３に登録し、最も古い予参加マルチキャストグループから予参加マルチキャストグループとしての登録を解除し、逐次参加マルチキャストグループとして登録し直す。また、例えば、全ての予参加マルチキャストグループについて、それぞれユーザインタフェース３４２で最後に選択された時刻をマルチキャストアドレスと関連付けて映像表示装置４４０のアドレス記憶部３４３に登録して管理するようにしてもよい。
【００４０】
また、映像表示装置４４０の起動時、映像表示装置４４０のアドレス取得部３４４によって、全ての予参加マルチキャストグループマルチキャストアドレスが映像表示装置４４０のアドレス記憶部３４３から取得され、映像表示装置４４０の要求部３４５によって、マルチキャストルータ１３０に全ての予参加マルチキャストグループへの参加が予め要求される。
【００４１】
以上説明したように、本実施の形態の映像監視システムの映像表示装置４４０は、ユーザインタフェース３４２で選択されたマルチキャストグループを予参加マルチキャストグループとしてアドレス記憶部３４３に登録するとともに、ユーザインタフェース３４２で選択されなくなった予参加マルチキャストグループの登録を解除する学習部４４９を備えるので、予参加についてユーザに特別な設定操作をさせることなく、ユーザによる映像の選択操作に応じて、監視カメラ１１０からの監視映像を高速に切り替えるようにすることができるとともに、監視カメラ１１０の数の制限をさらに緩和することができる。
【００４２】
なお、前述の実施の形態において、一般に、ネットワークとしてＩＰ（Ｉｎｔｅｒｎｅｔ　Ｐｒｏｔｏｃｏｌ）がサポートされたネットワークを用い、また、ネットワークにはＩＧＭＰ（Ｉｎｔｅｒｎｅｔ　Ｇｒｏｕｐ　Ｍｕｌｔｉｃａｓｔ　Ｐｒｏｔｏｃｏｌ）をサポートしたマルチキャストルータが接続される。しかしながら、本発明の映像監視システムは、このようなＩＰおよびＩＧＭＰを用いる場合に限らず、本発明の趣旨を逸脱しない範囲において、その他の通信プロトコルで実施してもよい。
【００４３】
【発明の効果】
本発明によれば、監視カメラからの監視映像を高速に切り替えるようにすることができるとともに、監視カメラ数の制限を緩和することができるという優れた効果を有する映像監視システムおよび映像表示装置を提供することができる。
【図面の簡単な説明】
【図１】本発明の第１の実施の形態および第２の実施の形態の映像監視システムを示すブロック図
【図２】本発明の第１の実施の形態および第２の実施の形態の映像配信装置を示すブロック図
【図３】本発明の第１の実施の形態の映像監視システムにおける映像表示装置を示すブロック図
【図４】本発明の第２の実施の形態の映像監視システムにおける映像表示装置を示すブロック図
【符号の説明】
１１０　監視カメラ
１３０　マルチキャストルータ
２２０　映像配信装置
２２１　映像配信装置のユニキャストネットワークインタフェース
２２２　映像配信装置のパケットバッファ
２２３　映像配信装置の変換判定部
２２４　映像配信装置の変換部
２２５　映像配信装置のマルチキャストネットワークインタフェース
２２６　映像配信装置の変換テーブル
２２７　映像配信装置のコンソール
２２８　映像配信装置の設定部
３４０、４４０　映像表示装置
３４１　映像表示装置の表示部
３４２　映像表示装置のユーザインタフェース
３４３　映像表示装置のアドレス記憶部
３４４　映像表示装置のアドレス取得部
３４５　映像表示装置の要求部
３４６　映像表示装置のアドレス設定部
３４７　映像表示装置のネットワークインタフェース
３４８　映像表示装置の復号部
４４９　映像表示装置の学習部
【図１】
2004128853.tif 000003
【図２】
2004128853.tif 000004
【図３】
2004128853.tif 000005
【図４】
2004128853.tif 000006